(57)【要約】【課題】本発明は、封止ロック作業の作業性を向上させることができ、かつ、非常に強固に封止ロックすることができるようにする。【解決手段】蓋体３と、該蓋体３がスライド嵌着される底体４とを有する遊技機の基板ケース１において、該底体４の一端に、複数個のかしめ部材８がそれぞれ着脱可能に取り付けられる取付け部７を設け、該蓋体３の一端に、該蓋体３を該底体４にスライド嵌着したときに該かしめ部材８に嵌合して係止される係止部１７を設け、該かしめ部材８には、第一係止爪９と、第一係止部分１２とを設け、該蓋体３の係止部１７には、該第一係止爪９が係止する第二係止部分１９と、該第一係止部分１２に係止する第二係止爪１８とを設けた。【選択図】    図１
2006158854.tif 000002
【特許請求の範囲】
【請求項１】
蓋体と、該蓋体がスライド嵌着される底体とを有する遊技機の基板ケースにおいて、
該底体の一端には、複数個のかしめ部材がそれぞれ着脱可能に取り付けられる取付け部が設けられており、該蓋体の一端には、該蓋体を該底体にスライド嵌着したときに該かしめ部材に嵌合して係止される係止部が設けられており、
該かしめ部材には、第一係止爪と、第一係止部分とが設けられており、該蓋体の係止部には、該第一係止爪が係止する第二係止部分と、該第一係止部分に係止する第二係止爪とが設けられていることを特徴とする遊技機の基板ケース。
【請求項２】
該蓋体、該底体および該かしめ部材は、樹脂製である請求項１に記載の遊技機の基板ケース。
【発明の詳細な説明】
【技術分野】
【０００１】
本発明は、スライド嵌着式の遊技機の基板ケースに関する。
【背景技術】
【０００２】
従来、スライドして開閉する遊技機の制御ボックスとしては、筐体本体（底体）と蓋体とを合体させて制御ボックスを形成する際に、予め筐体本体の挿入穴形成部に板バネを挿入しておき、制御基板を蓋体の内部に保持させてスライド装着した後に、該挿入穴形成部と重なり合った金属片挿入部に金属片を挿入し、挿入穴内で足部を板バネに係止させることによって、蓋体と筐体本体とを封止するものが提供されている（特許文献１参照）。
【０００３】
【特許文献１】特開２００４−１０５７５５号公報（第９−１３頁、第１−３図）
【発明の開示】
【発明が解決しようとする課題】
【０００４】
しかしながら上記従来の構成では、筐体本体と蓋体とを封止する場合に、蓋体を筐体本体にスライド装着する工程（スライド工程）のほかに、別途、金属片を金属片挿入部に挿入して足部を板バネに係止させる工程（ロック工程）を行う必要があるため、封止ロック作業に手間がかかるという問題があった。
【課題を解決するための手段】
【０００５】
本発明は上記従来の課題を解決するための手段として、蓋体３と、該蓋体３がスライド嵌着される底体４とを有する遊技機の基板ケース１において、該底体４の一端には、複数個のかしめ部材８がそれぞれ着脱可能に取り付けられる取付け部７が設けられており、該蓋体３の一端には、該蓋体３を該底体４にスライド嵌着したときに該かしめ部材８に嵌合して係止される係止部１７が設けられており、該かしめ部材８には、第一係止爪９と、第一係止部分１２とが設けられており、該蓋体３の係止部１７には、該第一係止爪９が係止する第二係止部分１９と、該第一係止部分１２に係止する第二係止爪１８とが設けられている遊技機の基板ケース１を提供するものである。
該蓋体３、該底体４および該かしめ部材８は、樹脂製であることが望ましい。
【発明の効果】
【０００６】
本発明の遊技機の基板ケース１では、蓋体３を底体４にスライド嵌着したときに、底体４に取り付けられたかしめ部材８に蓋体３の係止部１７が嵌合して係止されるため、蓋体３を底体４にスライド嵌着する工程（スライド工程）と同時に、かしめ部材８に係止部１７を係止させる工程（ロック工程）を行うことができ、封止ロック作業の作業性を向上させることが可能となる。
その上、底体４に取り付けられたかしめ部材８に蓋体３の係止部１７が係止される際に、該かしめ部材８の第一係止爪９が該係止部１７の第一係止部分１２に係止するとともに、該係止部１７の第二係止爪１８が該かしめ部材８の第二係止部分１９に係止して、該底体４に取り付けられたかしめ部材８と該蓋体３の係止部１７とが二重に係止されるので、該基板ケース１の底体４と該蓋体３とを非常に強固に封止ロックすることができる。
【発明を実施するための最良の形態】
【０００７】
本発明を図１〜図６に示す一実施例によって説明する。
図１に示すように、例えばパチンコやパチスロ等の遊技機の基板ケース１は、遊技機の基板２が取り付けられる透明な樹脂製の蓋体３と、該蓋体３がスライド嵌着される透明な樹脂製の底体４とを有している。
【０００８】
該基板ケース１の底体４の左右両側の内壁には、断面コの字状の左右一対のガイド溝５が凹設されており、一方、該蓋体３の左右両側には、該底体４のガイド溝５にスライド挿着される左右一対のフランジ部６が外側に向けて凸設されている。
【０００９】
また、遊技機の基板２は、該蓋体３の下面にビス止めされて取り付けられており、該遊技機の基板２上には、所定のパターンのプリント配線（図示せず）が形成されているとともに、ＣＰＵやＲＯＭ等のチップ（図示せず）が実装されている。
【００１０】
図１および図３に示すように、該基板ケース１の底体４の一端には、五個の取付け部７が左右に並列して設けられており、該取付け部７には、五個の樹脂製のかしめ部材８がそれぞれ着脱可能に取り付けられている。
【００１１】
該かしめ部材８は、左右一対の第一係止爪９が先端部に形成されたコの字枠１０と、該コの字枠１０の中央部分に差し渡される連結板１１とからなる。該連結板１１の中央には第一係止部分である第一係止孔１２が設けられており、また、該連結板１１の左右両側は外側に延長されて左右一対の位置決め片１３が形成されている（図１および図３参照）。
【００１２】
一方、該底体４の取付け部７の左右両側の内壁には、該かしめ部材８を使用する場合に該かしめ部材８の位置決め片１３を嵌着するための使用位置嵌着凹部１４と、該かしめ部材８を使用しない場合に該かしめ部材８の位置決め片１３を嵌着するための待機位置嵌着凹部１５とが、前後に縦列して設けられている。また、該底体４の取付け部７の一端の上部には、平面視コの字状の嵌合段部１６が設けられている（図１および図３参照）。
【００１３】
図１および図２に示すように、該蓋体３の一端には、該蓋体３を該底体４にスライド嵌着したときに該かしめ部材８に嵌合して係止される係止部である五個の係止片１７が並列して凸設されている。該係止片１７の先端部からは、該かしめ部材８の第一係止孔１２の周縁部に係止する左右一対の第二係止爪１８が差し出されており、また、該係止片１７の左右両側には、該かしめ部材８の左右一対の第一係止爪９がそれぞれ係止する第二係止部分である第二係止段部１９がそれぞれ形成されている。
また、該蓋体３の一端の上部には、該係止片１７の上側を覆うように五枚の蓋板２０が凸設されており、該蓋板２０の先端部分には、該底体４の取付け部７の嵌合段部１６に嵌合する嵌合片２１が設けられている。更に、隣接する蓋板２０と蓋板２０との間には連結片２２が差し渡されており、該連結片２２を介して該五枚の蓋板２０は相互に連結されている。
【００１４】
本実施例では、該蓋体３、該底体４および該かしめ部材８の材料となる樹脂として、例えば、ポリカーボネート樹脂等が使用される。
該蓋体３、該底体４および該かしめ部材８の樹脂材料として、ポリカーボネート樹脂を用いることによって、上記の遊技機の基板ケース１は高いリサイクル性および優れた環境安全性を得ることができる。
【００１５】
図４に示すように、上記の遊技機の基板ケース１を封止ロックする場合には、まず、五個のかしめ部材８のうち一個のかしめ部材８を取付け部７の使用位置に取り付けるとともに、残りの四個のかしめ部材８を取付け部７の待機位置に取り付ける。
すなわち、一個のかしめ部材８の位置決め片１３を取付け部７の使用位置嵌着凹部１４に嵌着させて、該一個のかしめ部材８を取付け部７の使用位置に取り付けるとともに、残りの四個のかしめ部材８の位置決め片１３を取付け部７の待機位置嵌着凹部１５に嵌着させて、該残り四個のかしめ部材８を取付け部７の待機位置に取り付ける。
【００１６】
そして、蓋体３の下面には予め基板２をビス止めしておき、該蓋体３のフランジ部６を該底体４のガイド溝５にスライド挿着することによって、該蓋体３を該底体４にスライド嵌着する。
そうすると、図４および図６に示すように、使用位置にある一個のかしめ部材８の左右一対の第一係止爪９は、若干外側に弾性変形して該係止片１７の第二係止段部１９を乗り越え、該第二係止段部１９にそれぞれ係止するとともに、該係止片１７の左右一対の第二係止爪１８は、若干内側に弾性変形して該一個のかしめ部材８の第一係止孔１２を通過し、該第一係止孔１２の周縁部にそれぞれ係止する。
このとき、図４および図５に示すように、待機位置にある残り四個のかしめ部材８の左右一対の第一係止爪９は該係止片１７の第二係止段部１９に係止しておらず、該係止片１７の左右一対の第二係止爪１８も該残り四個のかしめ部材８の第一係止孔１２の周縁部に係止していない。
【００１７】
このようにして、該基板ケース１の蓋体３を該底体４にスライド嵌着したときに、該蓋体３の係止片１７が該底体４の取付け部７に取り付けられた該一個のかしめ部材８に嵌合して係止され、遊技機の基板ケース１が封止ロックされる。
【００１８】
一方、上記の遊技機の基板ケース１を開封する場合には、まず、使用位置にある一個の取付け部７を覆う蓋板２０の連結片２２と根端部分をニッパ等の工具で切断して、該蓋板２０を該取付け部７の上部から取り除く。そして、該使用位置にある一個のかしめ部材８に嵌合係止している係止片１７の根端部をニッパ等で切断すると、該係止片１７は、該一個のかしめ部材８に嵌合係止した状態で該取付け部７の内部に残されることとなり、該蓋体３と該底体４とは開閉自在となって、該基板ケース１は開封される。
【００１９】
このとき、本実施例では、根端部を切断した係止片１７をかしめ部材８に対して９０度回転させることによって、該かしめ部材８の第一係止爪９と該係止片１７の第二係止段部１９との係止が解除されるとともに、該係止片１７の第二係止爪１８と該かしめ部材８の第一係止孔１２の周縁部との係止も解除され、該かしめ部材８を該係止片１７から取り外すことが可能となる。
したがって、一度開封すると変形や破損を生じてしまい再使用することが不可能となる従来のかしめ部材に対して、本実施例のかしめ部材８は、基板ケース１を開封する際に変形や破損を生じることがなく、何度でも再使用することができる。
【００２０】
その後、再度、遊技機の基板ケース１を封止ロックする場合には、取付け部７の待機位置に取り付けられていた残り四個のかしめ部材８のうち一個のかしめ部材８を取付け部７の使用位置に取り付けるとともに、残りの三個のかしめ部材８を取付け部７の待機位置に取り付けたままとする。そして、上記と同様にして、該基板ケース１の蓋体３を該底体４にスライド嵌着して、該蓋体３の係止片１７を該取付け部７の使用位置に取り付けられた該一個のかしめ部材８に嵌合係止させて、遊技機の基板ケース１を再び封止ロックする。
【００２１】
上記の遊技機の基板ケース１では、蓋体３を底体４にスライド嵌着したときに、底体４に取り付けられたかしめ部材８に蓋体３の係止片１７が嵌合して係止されるため、蓋体３を底体４にスライド嵌着する工程（スライド工程）と同時に、かしめ部材８に係止片１７を係止させる工程（ロック工程）を行うことができ、封止ロック作業の作業性を向上させることが可能となる。
【００２２】
その上、底体４に取り付けられたかしめ部材８に蓋体３の係止片１７が係止される際に、該かしめ部材８の左右一対の第一係止爪９が該係止片１７の第二係止段部１９にそれぞれ係止するとともに、該係止片１７の左右一対の第二係止爪１８が該かしめ部材８の第一係止孔１２の周縁部にそれぞれ係止して、該底体４に取り付けられたかしめ部材８と該蓋体３の係止片１７とが二重に係止されるので、該基板ケース１の底体４と該蓋体３とを非常に強固に封止ロックすることができる。
【００２３】
以上、本発明の実施の形態を実施例により説明したが、本発明の範囲はこれらに限定されるものではなく、請求項に記載された範囲内において目的に応じて変更・変形することが可能である。
例えば、本実施例では、蓋体３の一端に係止部である係止片１７が一体的に凸設されているものとして説明したが、本実施例以外、特に図示しないが、蓋体３とは別体の係止部材に係止部である係止片１７が設けられていてもよい。
【００２４】
また、本実施例では、かしめ部材８は基板２の上部に位置していないものを例示したが、本実施例以外、かしめ部材８は基板２の上部に位置していてもよい。
その場合には、基板ケース１の裏側から種々の工具を用いて該かしめ部材８を破壊しようとした場合でも、該かしめ部材８の下部に位置する該基板２が干渉することとなり、該基板ケース１の裏側からの不正解除を防止することができる。一方、該基板ケース１の上面または側面から不正解除が行われた場合には、不正行為を早期に発見することができる。
【産業上の利用可能性】
【００２５】
本発明は、封止ロック作業の作業性を向上させることができ、かつ、非常に強固に封止ロックすることができる遊技機の基板ケースとして、産業上利用することが出来る。
【図面の簡単な説明】
【００２６】
【図１】基板ケースの分解斜視図である。
【図２】蓋体の拡大斜視図である。
【図３】底体およびかしめ部材の拡大斜視図である。
【図４】基板ケースの断面斜視図である。
【図５】基板ケースの説明側断面図である。
【図６】基板ケース（封止ロック状態）の説明側断面図である。
【符号の説明】
【００２７】
１  基板ケース
３  蓋体
４  底体
７  取付け部
８  かしめ部材
９  第一係止爪
１２  第一係止部分（第一係止孔）
１７  係止部（係止片）
１８  第二係止爪
１９  第二係止部分（第二係止段部）
【図１】
2006158854.tif 000003
【図２】
2006158854.tif 000004
【図３】
2006158854.tif 000005
【図４】
2006158854.tif 000006
【図５】
2006158854.tif 000007
【図６】
2006158854.tif 000008